Podtech/llm-jp-corpus-v4-ja_patent huggingface dataset:
(57)【要約】【課題】回転支持部が二次燃焼室外部で片持ち支持している回転式の小型バイオマスバーナーにおいて、回転部の荷重を平均して支持する方法を提供する。【解決手段】本発明は、請求項１に記載のとおり、外筒先端部に外筒の一部を開口し内筒を支持する受ローラーを内蔵したボックスを複数挿入し、荷重を閉塞部内に具備した回転支持ローラーと先端部の複数の受ローラーで支持することを特徴とする燃焼装置。【選択図】図１
2015059738.tif 000002
【特許請求の範囲】
【請求項１】
一端が開放し、他端が閉塞部である後端とを有し、外筒と同軸において回転する内筒との二重構造を有する筒体と、前記閉塞部内に具備された回転支持ローラーと前記内筒を回転させる駆動装置と固体燃料を供給する供給装置を備えた燃焼装置において、外筒先端部に外筒の一部を開口し内筒を支持する受ローラーを内蔵したボックスを複数挿入し、荷重を閉塞部内に具備した回転支持ローラーと先端部の複数の受ローラーで支持することを特徴とする燃焼装置。
【請求項２】
前記受ローラーの格納したボックスには、空冷用にフアンに連接した配管を接続する請求項１に記載の燃焼装置。
【発明の詳細な説明】
【技術分野】
【０００１】本発明は、石油代替燃料分野における、バイオマス燃料の燃焼装置に関するものである。
【背景技術】
【０００２】近年、石油資源の枯渇化から、有機性廃棄物を利用したバイオエネルギーの利用の研究開発が行われている。しかし、大型の燃焼装置は多く開発、使用されているが、農業用ビニールハウスの加温や温泉センター等の温水の加温には少数の機種は発表されているが、完成の域には達していない。【０００３】バイオマス燃料の燃焼装置について、特開２０１０−９６４４６号公報等が提案されている。【０００４】しかし、装置を小型軽量にしたために、回転装置に未解決な部分があった。
【発明の概要】
【発明が解決しようとする課題】
【０００５】本発明は、内筒管の回転をスムーズにするために、先端部に加重を支持する回転ローラーを併設することが課題である。【０００６】本発明は、上記の課題を解決するために、請求項１のように、外筒先端部に外筒の一部を開口し内筒を支持する受ローラーを内蔵したボックスを複数挿入し、荷重を閉塞部内に具備した回転支持ローラーと先端部の複数の受ローラーで支持することを特徴とする燃焼装置を提供することにある。
【発明の効果】
【０００７】  以上に説明したように、本発明はバイオマス燃料の燃焼装置として、兼価な燃焼装置を提供でき、装置の小型化、作業の省力化等の効果を有し、バイオマス燃料や有機性廃棄物の燃焼に適した燃焼が出来る。
【発明を実施するための形態】
【０００８】  本発明の実施例を添付図面に基ずき説明する。図１は燃焼装置の断面図である。図中１は回転式内筒、２は外筒、３は内筒駆動装置、４は燃焼用空気フアン、５は燃料投入スクリュー、６は燃料投入スクリュー駆動装置、７は内筒回転受ローラー１、８は請求項１に記載のように内筒管の回転をスムーズにするために、先端部に加重を支持する内筒回転受ローラー２、１１は燃焼室、１２は耐火材で構成されている。
【産業上の利用可能性】
【０００９】本発明は、バイオマス燃料利用分野における、乾燥設備、農業用温室の加温、温水ボイラー、蒸気ボイラーの燃焼用に広く利用できる。
【先行技術文献】
【特許文献】
【００１０】
【特許文献１】特開２０１０−９６４４６公報
【図面の簡単な説明】
【００１１】
【図１】本発明の断面図
【図２】本発明のＡ−Ａ断面図
【図３】本発明の詳細図
【図４】本発明の詳細図
【符号の説明】
【００１２】１．回転式内筒
２．外筒
３．内筒駆動装置
４．燃焼用空気フアン
５．燃料投入スクリュー
６．燃料投入スクリュー駆動装置
７．内筒回転受ローラー１
８．内筒回転受ローラー２
９．軸受け
１０．シャフト
１１．燃焼室
１２．耐火材
【図１】
2015059738.tif 000003
【図２】
2015059738.tif 000004
【図３】
2015059738.tif 000005
【図４】
2015059738.tif 000006
(57)【要約】【課題】ズレや違和感が生じることなく、よりテーピングに近い緊迫効果が得られる衣類形成用生地の提供。【解決手段】伸縮性生地の肌面との接触面側に、摩擦力を付与する弾性樹脂の部分的塗布部が形成されている衣類形成用生地であって、当該弾性樹脂の部分的塗布部が０．３以上の摩擦係数を有することを特徴とする衣類形成用生地。【選択図】図１
2015059289.tif 000002
【特許請求の範囲】
【請求項１】
伸縮性生地の肌面との接触面側に、摩擦力を付与する弾性樹脂の部分的塗布部が形成されている衣類形成用生地であって、当該弾性樹脂の部分的塗布部が０．３以上の摩擦係数を有することを特徴とする衣類形成用生地。
【請求項２】
前記伸縮性生地の摩擦係数が０．２５以下であることを特徴とする請求項１記載の衣類形成用生地。
【請求項３】
前記弾性樹脂の部分的塗布部の厚みが０．１mmを超えないことを特徴とする請求項１又は２記載の衣類形成用生地。
【発明の詳細な説明】
【技術分野】
【０００１】
本発明は、衣類形成用生地、更に詳細には着用時に肌に密着し、緊迫力がかかるスポーツウエア、サポーター、水着、ガードル、ショーツ等の衣類の形成に好適な生地に関する。
【背景技術】
【０００２】
スポーツや医療の現場では、筋肉や腱などに伸縮性のテープを施し、運動機能を向上させたり、筋の疲労を軽減したり、姿勢を整えたり、痛みを軽減させたりすることが従来より行なわれている。
【０００３】
近年、その考え方を衣類に応用し、筋肉などを緊締する機能を備えた身体にフィットする衣類が開発されている。例えば、特許文献１には、伸縮性生地に、破断伸度が５００％以上かつ２００％モジュラスが５Ｎ／mm2以下の弾性樹脂部を形成する技術が開示されている。
しかしながら、当該弾性樹脂部は衣類の外面側に施され、肌には触れない構造となっているため、皮膚との摩擦作用は得られないものであった。
そのため、緊締部の圧迫は実現できるものの、テーピングのような追随性がなく、着用中にズレが生じてしまうと云う問題があった。
【先行技術文献】
【特許文献】
【０００４】
【特許文献１】特許第４０５８４５８号公報
【発明の概要】
【発明が解決しようとする課題】
【０００５】
本発明は、上記の如く従来の問題に鑑みてなされたものであり、ズレや違和感が生じることなく、よりテーピングに近い緊迫効果が得られる衣類形成用生地を提供することを課題としている。
【課題を解決するための手段】
【０００６】
本発明者は、上記の課題を解決すべく種々研究を重ねた結果、伸縮性生地の肌面との接触面側に、特定の摩擦係数を付与する弾性樹脂の塗布部分を設ければ極めて良い結果が得られることを見い出し、本発明を完成した。
【０００７】
すなわち、本発明は、伸縮性生地の肌面との接触面側に、摩擦力を付与する弾性樹脂の部分的塗布部が形成されている衣類形成用生地であって、当該弾性樹脂の部分的塗布部が０．３〜１．０の摩擦係数を有することにより上記課題を解決したものである。
【発明の効果】
【０００８】
本発明によれば、肌面との接触面側に存在する弾性樹脂の部分的塗布部は、当該弾性樹脂が存在しない部分よりも伸張しにくいので、より高い緊迫力が得られると共に、肌面との間の適度な摩擦により、ズレや違和感が生じることなく、テーピングと同様な作用効果が得られる。
【図面の簡単な説明】
【０００９】
【図１】本発明生地で形成した大腿上部から膝下までを覆う筒状サポータータイプのスポーツウエアの内外を反転せしめた状態の斜視説明図。
【発明を実施するための形態】
【００１０】
以下本発明の実施の形態を図面と共に説明する。
【００１１】
図１において、１０は伸縮性生地で、その肌面との接触面側には、摩擦力を付与する弾性樹脂の部分的塗布部２０が形成されている。
ここに伸縮性生地１０としては伸縮性を有するものであれば、特に種類の如何を問わないが、例えばポリウレタン弾性糸を含む編地等が好適に用いられる。また、弾性樹脂としては、例えばウレタン、アクリル、ナイロン樹脂等が好適に用いられる。
【００１２】
斯かる弾性樹脂のプリント方式等の塗布により、当該弾性樹脂の部分的塗布部２０は、０．３以上の摩擦係数を有している。摩擦係数が０．３より低いと適度な摩擦力が得られず、衣類の着用時にズレが生じる。
【００１３】
また、当該弾性樹脂の非塗布部分、すなわち伸縮性生地１０の摩擦係数は、０．２５以下とするのが、衣類の装着操作性の点で有利である。
【００１４】
尚、当該摩擦係数は、例えばカトーテック製表面試験機「ＫＥＳＦＢ４−Ａ−ＳＥ」を用いて計測することができる。
【００１５】
また、当該弾性樹脂の部分的塗布部２０の厚みとしては、０．１mmを超えないものが装着時の凹凸違和感や痕付きを防止する上で有利である。
尚、当該厚みは、例えばＴＥＣＬＯＣＫ社製デジタル厚さ計「ＳＭＤ−５５０Ｓ」を用いて計測することができる。
【００１６】
当該弾性樹脂の部分的塗布部２０の具体的形状は、ドット、格子、ライン等その如何を問わず、またその個数も特に制限されない。
【００１７】
以下試験例を挙げて本発明を更に説明する。
【００１８】
試験例１
摩擦係数が０．２の伸縮性生地に、弾性樹脂を塗布し、表１記載の摩擦係数の部分的塗布部を有する生地（生地試料１〜３）をそれぞれ作成した。得られた各生地で大腿上部から膝下までを覆う図１に示すような筒状サポータータイプのスポーツウエアをそれぞれ形成した。得られた各スポーツウエアを装着し、その装着状態の位置（大腿の前面中央部とその後面中央部）に印をつけた後、深い屈伸運動を１０回行なった。運動終了後、印の位置からのスポーツウエアのズレを計測した。その結果は表１のとおりであった。
尚、上記各生地試料について運動後のズレた感じを１００mm間隔のＶＡＳで評価したところ、試料１は完全にズレたと感じた（評価：不良）が、試料２〜３は殆どズレた感じはしなかった（評価：良）。このＶＡＳ評価の結果も併せて表１に示した。
【００１９】
【表１】
2015059289.tif 000003
【符号の説明】
【００２０】
１０：伸縮性生地
２０：弾性樹脂の部分的塗布部
【図１】
2015059289.tif 000004
(57)【要約】      （修正有）【課題】臀部の筋肉の緩みによって、便座に座っても肛門部が出ない要介護者は、排便時に肛門周辺が大きく汚れるとともに、温水洗浄器によって洗浄しようとしても、ノズルから出た温水が、緩んだ臀部によってふさがれ、肛門周辺を洗浄できないので、介護を必要とせずに、トイレを利用することが可能となる臀部開口便座装置を提供する。【解決手段】便座を左右１，２に分け、結合部５を起点と駆動用モータ３と可動用ギアーとギアー固定台６により左右の便座１，２を開口して、使用者の臀部を広げる。【選択図】図１
2015116324.tif 000002
【特許請求の範囲】
【請求項１】
便座の先端を中心に左右に分割され便座を、駆動部と連結する部材により咬合された左右の便座が開閉することによって、臀部の開閉をする臀部開口便座装置。
【発明の詳細な説明】
【技術分野】
【０００１】
この発明は、要介護者が温水洗浄器等のノズルから出る洗浄水によって肛門部の汚れを洗浄しようとしたときに、臀部の肉が落ちている人は、便座に座っても肛門部が自身の肉の襞に隠れているため、温水洗浄等のノズルでは洗い流すことができないことを解決する装置に関する。  
【背景技術】
【０００２】
高齢の多くの要介護者は、介助人の手で臀部を広げながら着座することで、肛門部を露出させ排便後の洗浄を可能としている。
【０００３】
温水で臀部を洗浄した後、自動でトイレットペーパーを掴んで、臀部の水滴をふき取る装置として、特許文献１に開示された装置が提案されている。
【０００４】
ところが、肛門部が露出しない要介護者に対しては、温水洗浄器の温水での洗浄が出来ないため、特許文献１に開示された装置では対応できない。
【０００５】
本件出願人は、かかる課題を解消するために、本装置に座った人の臀部を自動で広げる発明をした。
【先行技術文献】
【特許文献】
【０００６】
【特許文献１】特願２０１３−０９５０６２
【発明の概要】
【発明が解決しようとする課題】
【０００７】
中腰ができない障害を持つ要介護者でも、この発明によって、便座に座ると便座が開くとともに臀部も広がることで、肛門が露出される。それによって、排便時の肛門周辺の汚れが少なくなり、温水洗浄器の使用も可能となる。それによって臀部がつねに清潔に保たれるため、病気予防とトイレの介護の軽減が可能となる。
【課題を解決するための手段】
【０００８】
本件出願人は、かかる課題を解消するために、図１に示すように便座が左右に開閉するようにした。
【０００９】
図１の便座は左右１と２に分かれており、先端部分５で咬合している
【００１０】
便座１と２はモーター３に結合されたギアー４と咬合しており、ギアー４は固定台６をセンターとして回転する。モーター３の回転がギアー４に伝わると、モーター３の回転によって便座１と２は固定台６をセンターに開閉動作を行う。
【００１１】
人が図２の状態の便座に座った時、モーター３が作動することで、図１の状態に便座が開くため、臀部は広がることになり、肛門部が露出され洗浄をふき取りを可能とする
【発明の効果】
【００１２】
高齢の要介護者は臀部の筋肉が緩むため、排便時には肛門を露出する体勢を取ることが必要とされる。しかし、多くの高齢者は筋力が落ちているために、歩行は出来ても、中腰になることができないのが一般である。そのため、トイレの使用時には介護者の補助で臀部を広げてもらいながら便座に座ることになる。本発明を使用することで、多くの介護者が介護者の補助を受けずにトイレの使用を可能とする。
【図面の簡単な説明】
【００１３】
【図１】便座が開口している状態を示す図である。
【図２】便座が閉口している状態を示す図である。
【発明を実施するための形態】
【００１４】
以下、本発明の実施の形態に係る臀部の開口装置ついて、図面を参照しながら説明する。図１に示すように、本発明の実施形態は、便座左台１、便座右台２、駆動用モーター３、便座１と２の可動用ギアー４、便座１との２連結部５、ギアーをセンター位置で固定する固定台６で構成されている。
【００１５】
便座１と２はその上に使用者が着座するためのものである、使用者は図２の状態、すなわち便座１と２が閉口している状態で着座すると、モーターが回転を始めギアーが回転することで、便座１と２は接合部５を起点として開口していくため、使用者の臀部も広がることになる。
【００１６】
ギアー４のセンターはギアー中心固定台６に咬合されていて、ギアー４はギアー固定台６をセンターとして回転することで、便座１と２はギアー固定台６をセンターに開閉する。
【実施例】
【００１７】
温水洗浄式のトイレでは高齢者半数にみられる臀部の緩みによる、洗浄温水が肛門周辺に当たらない問題を解決できることで、介護者の負担を大きく軽減でき、使用者が介助を受ける引け目から、トイレを我慢する要因も取り除くことができる。
【産業上の利用可能性】
【００１８】
高齢の要介護者の半数は便座に着座するときに、臀部を広げてもらう介護を必要とするため、本装置によって介助者の負担は大きく軽減されるものであり、施設の人件費の負担をも軽減できることになる。
【符号の説明】
【００１９】
１  便座左台
２  便座右台
３  便座開閉駆動用モーター
４  便座開閉駆動用ギアー
５  便座１と２の連結部
６  ギアーセンター受け固定台
【図１】
2015116324.tif 000003
【図２】
2015116324.tif 000004
(57)【要約】【課題】従来の紙めくり具は薄紙を１枚１枚めくれず指が疲れるという問題があった。これは指先に力を入れづらいためである。【解決手段】弾力性及び摩擦抵抗性のあるシリコンゴム材等のゴム材で形成された先端部に錘を内装させ、同じくゴム材で形成された可曲する連結部指を挿入する本体部で構成した。これにより薄紙を１枚１枚めくることができるとともに指の疲れも解消できる。【選択図】図１
2015116802.tif 000002
【特許請求の範囲】
【請求項１】
弾性及び摩擦抵抗性のあるシリコンゴム等のゴム材で形成された先端部に錘が内装されたことを特徴とする紙めくり具
【請求項２】
前記先端部と本体部を連結し、可曲する弾性及び摩擦抵抗性のあるシリコンゴム等のゴム材で形成された連結部を構成することを特徴とする請求項１記載の紙めくり具
【請求項３】
前記連結部と連結される弾力性及び摩擦抵抗性のあるシリコンゴム等のゴム材で形成される本体部を構成することを特徴とする請求項１又は２記載の紙めくり具
【発明の詳細な説明】
【技術分野】
【０００１】  本発明は伝票や書籍薄紙をめくる際り使用される紙めくり具に関する。
【背景技術】
【０００２】  従来の紙めくり具としてはゴム製の指サックを使用する方法が知られている。筆記具を利用したものがある（例えば特許文献１参照）、又指に貼り付けるものがある。（例えば特許文献２参照）
【特許文献１】特開２００７−２６１２２４
【特許文献２】平０８−３１０１５８
【発明の開示】
【０００３】  以上に述べた従来の紙めくり具では薄い紙を１枚１枚めくれず、指も疲れるものであった。
【０００４】  本発明はこのような従来の構成が有していた問題を解決しようとするものであり普通紙はもちろん薄紙も１枚１枚正確にめくれ指も疲れない事を目的とするものである
【課題を解決するための手段】
【０００５】  そして本発明は上記目的を達成するために弾力性及び摩擦抵抗性のあるシリコンゴム等のゴム材で形成された先端部に錘を内装させ同じくゴム材で形成された可曲する連結部、指を挿入する本体部で構成したものである
【０００６】  上記の解決手段による作用は次のとおりである。錘を内装した先端部か重力により紙を叩打し紙間にすき間を生じさせゴム材で形成された先端部、連結部、本体部で１枚１枚めくることかできる。
【発明の効果】
【０００７】  上述したように本発明の紙めくり具は普通紙はもちろん薄紙でも１枚１枚めくれ指も疲れない効果がある
【発明の実施するための最良の形態】
【０００８】  以上本発明の実施の形態を図１〜図３に基づいて説明する。
【０００９】  図において１は先端部で錘１ａを内装している２は連結部３は指４を挿入する本体部３である
【００１０】  薄紙５をめくる場合、図２のように連結部２を屈曲させ、普通紙６の場合は、あまり屈曲させないでめくる。
【００１１】  以下、上記構成の動作を説明する。先端部１に内装された錘１ａが薄紙５を叩打し紙間のすき間が生じめくりやすくなった状態でゴム材で形成された連結部２と本体部３でめくる。以上のように本実施形態によれば普通紙６はもちろん薄紙５も１枚１枚めく指４も疲れずに済むという効果が得られるものである。
【図面の簡単な説明】
【００１２】
【図１】本発明の実施形態を示す全体図
【図２】薄紙をめくる時の本発明の実施形態
【図３】普通紙をめくる時の本発明の実施形態
【符号の説明】
【００１３】  １  先端部
１ａ  錘
２  連結部
３  本体部
４  指
５  薄紙
６  普通紙
【図１】
2015116802.tif 000003
【図２】
2015116802.tif 000004
【図３】
2015116802.tif 000005
(57)【要約】【課題】  穀類貯蔵用角型ビンの点検や清掃が行いやすいように、角型ビンの側面下部に扉を設けた扉つき穀類貯蔵用角型ビンを提供する。【解決手段】  穀類貯蔵用角型ビン（１）の側面下部に穴（２）を設け、穴（２）に扉（３）を設けた扉つき穀類貯蔵用角型ビンを特徴とする。【特許請求の範囲】
【請求項１】
穀類貯蔵用角型ビン（１）の側面下部に穴（２）を設け、穴（２）に扉（３）を設けた扉つき穀類貯蔵用角型ビン。
【発明の詳細な説明】
【技術分野】
【０００１】  この発明は、大規模乾燥調製施設及び大規模乾燥調製貯蔵施設（以下「乾燥施設」という。）における穀類貯蔵用角型ビンの側面下部に、ビン内外をつなぐ扉を設けた扉つき穀類貯蔵用角型ビンに関するものである。
【背景技術】
【０００２】  従来、乾燥施設における穀類貯蔵用角型ビン側面下部には扉がなかった。
【先行技術文献】
【０００３】
【発明の概要】
【発明が解決しようとする課題】
【０００４】  従来、乾燥施設における穀類貯蔵用角型ビン側面下部には扉がなく、清掃や点検を行う場合には、ビン上部からハシゴで降下するしか手段がなく、メンテナンスの不便さや安全性に問題があった。
本発明は、以上のような欠点をなくすためになされたものである。
【発明を解決するための手段】
【０００５】  穀類貯蔵用角型ビン（１）の側面下部に穴（２）を設け、穴（２）に扉（３）を設ける。
本発明は、以上の構造よりなる扉つき穀類貯蔵用角型ビンである。
【発明の効果】
【０００６】  穀類貯蔵用角型ビンの側面下部に、ビン外部とビン内部をつなぐ扉を設けたことで、清  掃や点検を行う場合に、高所であるビン上部から降下する必要がなくなり、安全性が向  上する。また、ビン内部から隣のビンの内部に移動する場合にも、従来ならば一旦ハシ  ゴを登り、ビン上部に出てから次のビンの内部に移動する必要があったが、隣り合うビ  ンの間の側面下部に扉を設けることで容易にビン間の移動が可能となり、清掃や点検に  要する時間の短縮が図れる。
【発明を実施するための形態】
【０００７】  以下、本発明を実施するための形態について説明する。
穀類貯蔵用角型ビン（１）の側面下部に、人が通行可能な一箇所又は複数個所の穴（２  ）を設ける。
穴（２）に、貯蔵物が漏洩しないよう穴と同じ大きさの扉（３）を設置する。
本発明は、以上のような構造である。
【符号の説明】  １  穀類貯蔵用角型ビン
２  穴
３  扉
(57)【要約】【課題】  かいわれ大根（スプラウト）などの家庭での簡易栽培では、毎日の水の供給を必要とし、頓わしさは免れず、怠ると特に夏場など水の腐敗、および、水不足の問題から栽培が失敗に終るので解決が望まれる。【解決方法】  本発明の栽培器は、プラスチック製ネットを浮力の大きい発泡スチロールなどの枠の上に乗せるか組み込んだ形態のもので、これを水槽に沈めると、ネットの細孔による表面張力で引っ張られ、ネットは水面すれすれの状態に保たれる。  このネット上に種子を蒔き成育させる場合、水の供給は不必要で手間が掛からない。  成長に伴う荷重による栽培器の水没の問題については、栽培器本体の浮力もプラスし、その心配はなく根腐れを起こすことはない。根は抵抗なく長く伸び、相応して茎も早く順調に成長する。【選択図】図２
2015116181.tif 000002
【特許請求の範囲】
【請求項１】
かいわれ大根（スプラウト）などの水耕栽培器に関するもので、本栽培器はプラスチック製ネットを浮力の大きい発泡スチロールなどの枠の上に乗せるか、組み込んだ形態のものである。
これを水槽に沈めると、ネットの細孔による表面張力で引っ張られ、栽培器は完全には浮上せず、ネット部が水面に保持された状態で静止する。
かくて、水面すれすれの濡れた状態にあるネット上に種子を蒔くが、成長に伴い荷重が増大しても、栽培器本体の浮力もプラスし、ネット部は水面下に沈まない状態にある。
スプラウトなどの種類により、種子がネットの網目よりも小粒の場合には、テイツシュペーパーなどを敷いて種子を蒔く。
こうした水耕栽培器。
【発明の詳細な説明】
【技術分野】
【０００１】  かいわれ大根（スプラウト）などの種子を蒔き成育させる栽培器。
【背景技術】
【０００２】  この種の栽培における家庭用栽培器には、容器に脱脂綿、テイツシュペーパーなど吸水性物質を厚く敷き、水をスプレーして含浸させたもの、あるいは、砂利を敷くとか、網を張って水をすれすれに満たしたものがある。
これらの場合、水の腐敗防止、および、補給のために、毎日、水の供給を必要とする。
【非特許文献】  インターネット：かいわれの育て方、栽培法
【発明の概要】
【発明が解決しようとする課題】
【０００３】  従来、かいわれ大根（スプラウト）などの家庭での栽培においては、毎日の水の供給を必要とし、動力は使わないのでこの煩わしさは免れず、怠ると水の腐敗、および、不足を招き栽培は失敗につながるので、その解決が望まれる。
【問題を解決するための手段】
【０００４】  本発明の栽培器はプラス製ネットを浮力の大きい発泡スチロールなどの枠の上に乗せるか、組み込んだ形態のもので、これを水槽に沈めると細孔のネットの表面張力で引っ張られ完全には浮き上がらず、また、成長に伴い荷重が加わっても本体の浮力もプラスし、ネット部は水面すれすれの状態に保たれる。このネット上に種子を蒔き成育させ得る。
【発明の効果】
【０００５】  本発明の栽培器での栽培においては、栽培器が水槽に浸かり、ネット部は常時水面すれすれで濡れた状態に保たれることから、水の供給の必要はない。そうして、特に夏場の根元の水没の場合だと水の腐敗を生じる。こうした栽培での支障の心配はない。
また、本法では根は抵抗がないので自由に伸び、茎も相応して成長する。栽培物はネットに根が付いたまゝの状態で本体の枠から分離し水面から容易に持ち上げ得るので、水槽に熱水、もしくは、温水を注入し水温を上昇させ得ることから、これを度重ねれば、冬場でも暖かい季節並の成長がもたらされる。
【発明を実施するための最良の形態】
【０００６】  本栽培器の仕様、および、形態は次のとおりである。
１）栽培器のネット
材質：ポリエチレン
形態：サイズ―縦１４０ｍｍ×横１４０ｍｍ
網目ピッチ―３０ｍｍ×３０ｍｍ
網の厚さ―０．８ｍｍ
（注）大日本プラスチック（株）製、商品名：トリカルネットＮ−９
２）栽培器の枠状物
材質：硬質発泡スチロール（倍率５）
形態：板厚―１０ｍｍ
サイズ―１４０ｍｍ×横１４０ｍｍ×高さ２５ｍｍ
図示するとおり、４角形の枠状物は発泡スチロール用の接着剤で接着し作成
（注）射出成形法でも成作可能
【図面の簡単な説明】
【０００７】
【図１】栽培器に乗せるネットの平面図
【図２】接着で作成した枠の平面図（２−１）と、側面図（２−２）
【図１】
2015116181.tif 000003
【図２】
2015116181.tif 000004
(57)【要約】      （修正有）【課題】魚介などをネットの籠に入れて吊し、天日干しを行うときに、乾燥ムラや、虫、鳥の害がおこらないように乾燥させた板状の一夜干し品を提供する。【解決手段】二種類の網目（細目と荒目で丸太）の二重のプラスチック製ネットを使用し、荒目の方を内側にして魚介等を挾み、外側に細目のネットがくるようにし、つま揚技で網ごと串挿しにし、固定し、吊して干す。【選択図】図１
2015116182.tif 000002
【特許請求の範囲】
【請求項１】
魚介などの一夜干しネットに関するもので、二種類の網目（細目と荒目で丸太）のプラスチック製ネットを重ね合わせ、天日干しの対象物を挾み、ネットの上から串挿しにして固定し吊す板状の一夜干し品
【発明の詳細な説明】
【技術分野】
【０００１】  家庭で魚介などをネットの籠に入れて吊し、天日干しを行うもの
【背景技術】
【０００２】  従来の魚介などの天日干しは、化繊の縒った糸で編んだネットの籠で、３段からなり、ファスナーの対象物の出し入れ口が設けられ、吊して干す形態のもので行う。籠の中で干すことから、虫や鳥の害は阻止される。
【非特許文献】  インターネット：魚の一夜干しネット
【発明の概要】
【発明が解決しようとする課題】
【０００３】  魚介などの一夜干しを作るとき、柔かい身の場合、編んだ細い糸のネットに乗せると、身が食い込み、干し上がった際ネットに付着した状態になり、離すとき形が崩れる。
また、ネットに乗せる対象物は水平状態であり、風は側面を通り抜けるので、風による乾燥は効果的とはいえない。
一方、太陽光線は上からの照射であり、籠の上から２段、３段目は汁も垂れるが、日陰になり、日照の恩恵を被ることなく、棚式は構造的にみてかんばしくない。
こうしたことから早く干すためには、乾燥の途中で魚介を裏返すこともあり手間取ることになる。
【問題を解決するための手段】
【０００４】  本発明の一夜干しネットは、二種類（細目と荒目で丸太）の押出し成形によるプラスチック製ネットで、魚介などを挾み、ネットから落ちないように１〜２か所つま揚技などで串挿しにして固定し、吊して干す。
【発明の効果】
【０００５】  編んだ糸でなく押出し成形により作られたプラスチック製ネットなので、表面が滑らかで、丸太のネットの方を内側にして魚介を挾むことにより、特に柔かい身の場合、干し上った際にネットから離すとき付着していて形が崩れることはない。
そうして、微風でも対象物の平面に風は当たるので、ネットはよく揺れ、また、太陽光線も両面に満遍に照射され効率的に乾燥し得る。
虫や鳥の害を阻止する対策としては、二種のネットを重ね合わさて挾むので、ネットと魚介の間には空間があり、虫など接触は不可能である。
さらには、汁が垂れるのを防ぐには、ネットの下端に吸水性の紙を挾み取り付けることで、容易に防止し得る。
【発明を実施するための最良の形態】
【０００６】  本品の仕様、および、形態は次のとおりである。
１）二重の外側で、つま陽技を挿し固定させる細目のネット
材質：ポリエチレン製、連続押し出し成形品
形態：網目の大きさ（ピッチ）
Ｗ３．０ｍｍ×Ｌ３．０ｍｍ
サイズ：３５０ｍｍ×４００ｍｍ
重量：１．９ｋｇ／１ｍ×５０ｃｍ
（注）大日本プラスチック（株）、商品名ネトロンシート（Ｄ−７）
２）魚介に接する内側の荒目で丸太のネット
材質：ポリエチレン製、連続押出し成形品
形態：細目の大きさ（ピッチ）、形状亀甲形
Ｗ１２ｍｍ×Ｌ１２ｍｍ、厚み３ｍｍ、開孔率６５％
サイズ：３５０ｍｍ×４００ｍｍ
重量：１ｋｇ／９１ｃｍ×３０ｃｍ
（注）大日本プラスチック製、商品名トリカルネット（Ｎ−９）
【図面の簡単な説明】
【０００７】
【図１】外側で、つま揚技を挿し魚介を固定するネット
【図２】内側で、魚介に接し挾むネット
【図１】
2015116182.tif 000003
【図２】
2015116182.tif 000004
(57)【要約】【課題】クワガタ虫、カブト虫の飼育等に使われる容器の底面に蛹室を作った場合、底に溜まる水分で、羽化不全を起こすことがある。【解決手段】容器底部に凹凸を設け、底に溜まった水分が蛹に触れないようにすることで、羽化不全の確率を減らすことができる。【選択図】図１
2015116146.tif 000002
【特許請求の範囲】
【請求項１】
底部にクワガタ虫、カブト虫の幼虫が入り込まない程度、細かく凹凸をつけることを特徴とする容器。
【発明の詳細な説明】
【技術分野】
【０００１】
この発明はクワガタ虫、カブト虫の幼虫飼育等に使われる容器の形状に関する。
【背景技術】
【０００２】
従来の容器は図３に示すように円筒形で底面に細かい凹凸が存在しない。
【０００３】
特許文献１に底に砂を入れて羽化不全を防ぐ方法が提示されているが、砂が混じると使い終わった菌糸クズの再利用や、燃えるゴミに出すことができなくなる。
【０００４】
特許文献２に底に羽化不全防止シートを入れる方法も提示されているが、容器と別の材料を用意しなければならなくなる。
【先行技術文献】
【特許文献】
【０００５】
【特許文献１】特開２００１−２１１７８３号公報
【特許文献２】特開２００１−２７５５１７号公報
【発明の概要】
【発明が解決しようとする課題】
【０００６】
容器底面に蛹室を作った幼虫は、底に溜まった水分で、羽化不全を起こし易くなる。
【課題を解決するための手段】
【０００７】
この課題を克服するために、底面に凹凸を付け、蛹室の下に水分が逃げ易くして、蛹が水分に触れないようにする容器を考案します。
【発明の効果】
【０００８】
この容器を使用すれば、羽化不全の確率を減らすことができます。
【図面の簡単な説明】
【０００９】
【図１】この発明の容器の側面図（例）。
【図２】この発明の容器の底面図（例）。
【図３】従来容器の斜視図。
【発明を実施するための形態】
【００１０】
幼虫飼育用容器の底部に凹凸をつける。
【００１１】
容器底部の凹凸の形状はどんな形状でもいいが、幼虫が入り込まない程度、細かくすることが重要である。
【図１】
2015116146.tif 000003
【図２】
2015116146.tif 000004
【図３】
2015116146.tif 000005
(57)【要約】【課題】いびきや無呼吸症候群は、口を開けて呼吸すること、舌が喉に落ち込むことが大きな要因とされている。これらを解決するために従来は、装置の使用のによる方法では購入、運用に費用がかかる。口を閉じる等の強制的補助具の使用の方法では、睡眠時のストレスがかかり又恒久的な使用をしないと再発する。手術の場合は精神的、肉体的にストレスがかかる。枕等の高さなどを個人の寝姿に合わせて製作するサービスでは、製作、購入に時間がかかる。本発明は、以上の問題点を解決し、手軽、安価に無呼吸症候群、いびきへの対応ができるようにするものである。【解決手段】シリコーン材のような軟質の素材を用い、幅約１０ｍｍ、高さ約５ｍｍ、厚さ約２ｍｍ程度の小さなボードで当接帯を形成し、その左右両端に耳掛け紐を取り付ける。以上を特徴とする開口呼吸防止帯である。【選択図】図１
2015116456.tif 000002
【特許請求の範囲】
【請求項１】
シリコーン材のような軟質の素材を用い、幅約１０ｍｍ、高さ約５ｍｍ、厚さ約２ｍｍ程度の小さなボードで当接帯を形成し、その左右両端に耳掛け紐を取り付けたことを特徴とする開口呼吸防止帯である。
【請求項２】
当接帯の代わりに、装着帯の中央部に当接部を設けたことを特徴とする、請求項１における開口呼吸防止帯である。
【発明の詳細な説明】
【技術分野】
【０００１】  本発明は、睡眠中の開口呼吸を防止し、いびきや無呼吸症候群を解消する開口呼吸防止帯に関するものである。
【背景技術】
【０００２】  いびきや無呼吸症候群は、舌が喉に落ち込み、口を開けて呼吸することが大きな要因とされている。又それは、アレルギー症状を持つ人も同様に口呼吸で無防備に直接有害物質を吸引することは症状を悪化させる要因となっている。
従来、開口呼吸を防止し鼻呼吸を促す方法として、呼吸を監視し制御する装置（特許文献１参照）の装着や、口をベルト等で強制的に閉じさせる方法（特許文献２及び３参照）、手術を用する方法（特許文献４及び５参照）、枕の形状を頭の高さ、首の深さ、頭から首の長さ等個人に合わせて枕を作るサービス（非特許文献１参照）等が取られてきた。
【先行技術文献】
【特許文献】
【０００３】
【特許文献１】特開２０１２−１２５６７号公報
【特許文献２】特開２００２−４５３８４号公報
【特許文献３】特開２００３−９３４２３号公報
【特許文献４】特開２０００−５１１０８９号公報
【特許文献５】特開２０１１−５２９７３７号公報
【非特許文献１】快眠工房中村屋  オーダー枕
【発明の概要】
【発明が解決しようとする課題】
【０００４】  参照特許文献１に示される先行技術は、装置を用いるためその購入、運用に費用がかかる。
参照特許文献２及び３に示される先行技術は、口をベルト等で強制的に閉じさせる方法のため、睡眠に対してストレスがかかり、恒久的に使い続けない限り元の木阿弥になってしまう。
参照特許文献４及び５に示される先行技術は、手術が必要となり、身体と精神面に大きな負担がかかる。
参照非特許文献１に示される先行サービスは、枕の形状を個人個人の頭の高さ、首の深さ、頭から首の長さ等に合わせて枕を作る必要があり、制作・購入に時間と費用がかかり、恒久的に使い続けない限り元の木阿弥になってしまう。
本発明は、以上の問題点を解決し、手軽、安価に無呼吸症候群、いびきへの対応ができるようにするものである。
【課題を解決するための手段】
【０００５】  シリコーン材のような軟質の素材を用い、幅約１０ｍｍ、高さ約５ｍｍ、厚さ約２ｍｍ程度の小さなボードで当接帯を形成し、その左右両端に耳掛け紐を取り付ける。
以上を特徴とする開口呼吸防止帯である。
【発明の効果】
【０００６】  下唇と顎先の間にあるオトガイ筋（図４：オトガイ筋）に皮膚が約３ｍｍ程度窪む軽度の刺激を加えることで、それに関連付けられているオトガイ舌筋（図４：オトガイ舌筋）、口輪筋（図４：口輪筋）が緊張します。オトガイ舌筋が緊張することで舌が喉方向に落ち込むことを抑制し、呼吸の停止が防止されます。口輪筋が緊張することで口が緩むのを防止し開口が抑制されます。
本発明は、装置の必要もなく安いコストで製作ができます。物理的にベルト等で口を塞ぐ強制的な方法でなく、身体的な自然な反応を応用しているので、睡眠時のストレスが軽減されます。手術等の身体的、精神的に負担をかけることなく、手軽に使用ができます。また、個人の身体的特性に合わせて製作される枕等のように個人差の影響を受けにくいので、使用するまでの時間と費用を抑えることができます。本発明を定期的に装着することで、睡眠時のオトガイ舌筋及び口輪筋に癖が付き、本発明を装着しなくても舌の喉への落ち込みが解消され、口呼吸が抑制されるようになります。無呼吸の状態が解消されるため、質のよい睡眠が得られ、無呼吸症候群による諸症状が緩和されます。また、睡眠時のいびきが解消することで、回りへの迷惑も解消されます。
【図面の簡単な説明】
【０００８】
【図１】本発明を装着した状態を示した正面図Ａ、側面図Ｂ
【図２】本発明の正面図
【図３】本発明装着部位に関連する人体部位を示す断面図
【図４】本発明の応用実施例を装着した状態の側面図
【図５】本発明の応用実施例の正面図
【図６】本発明の一部である当接帯の応用形状を示す斜視図
【発明を実施するための形態】
【０００９】  以下、本発明の実施形態を説明する。
（イ）シリコーン材のような軟質の素材を用い、幅約１０ｍｍ、高さ約５ｍｍ、厚さ約２ｍｍ程度に形成されたボードの当接帯（１）、その左右両端に耳掛け紐（２）を取り付ける。
本発明は、以上のような構成でありこれを実際に使用するときは、睡眠前に当接帯（１）が下唇と顎先の中間に当たるように耳掛け紐（２）を両耳に掛ける。
（ロ）実施形態の応用例として図５もある。
肌触りの良い柔軟性のよい布等を使用した、顎の左右の付け根から下唇下部幅１０ｍｍ程度をカバーする雲型形状をした装着帯（３）と、その中央に設置される、下唇下部に皮膚が約３ｍｍ程度窪む軽度の刺激を与えるための、シリコーン材のような軟質材等からなる幅約１０ｍｍ、高さ約５ｍｍ、厚さ約２ｍｍ程度、その片側表面中央に高さ約５ｍｍ程度の突起を持ち、その先端に約２ｍｍ角程度の平面の接触面を持つ当接部（５）、装着帯の左右両端にゴム紐等からなる後頭部掛け紐（４）を取り付ける。
本発明応用例は、以上のような構成でありこれを実際に使用するときは、睡眠前に当接部（５）が下唇と顎先の中間に当たるよう後頭部掛け紐（４）を後頭部に掛ける。
本発明応用例では、装着帯（３）は、素材、プリントデザイン等様々なものを選ぶことができ、ファッションの面からも、肌触りの好みからも、装着者が選択することができる。また、当接部（５）には、磁力等のあるものを埋め込むこともでき、筋肉の血行をよくする効果を付加することが可能となる。
【符号の説明】
【００１０】１  当接帯、２  耳掛け紐、３  装着帯、４  後頭部掛け紐、５  当接部
【図１】
2015116456.tif 000003
【図２】
2015116456.tif 000004
【図３】
2015116456.tif 000005
【図４】
2015116456.tif 000006
【図５】
2015116456.tif 000007
【図６】
2015116456.tif 000008
(57)【要約】      （修正有）【課題】曲がった脊髄の矯正を図り健康の回復させる器具を提供する。【解決手段】コの字型に器具を伏せ、首の当たる所に括れを作り、高さの調節が出来るようにして、バネを付け、首への負担を軽くする。その括れの上に首を載せて後頭部が下がらないように座ることにより、クビが上に押し上げられる格好となり、曲がった脊椎を矯正する。【選択図】図２
2015116458.tif 000002
【特許請求の範囲】
【請求項１】
図面２の▲１▼のごとく、下から首を押しあげるようにして脊椎の矯正を図る。その際、図面１のように、首の当たる所に括れを作り、高さの調節が出来るようにして、バネを付けること。
【発明の詳細な説明】
【技術分野】
【０００１】本発明は、曲がった脊髄の矯正を図り健康の回復を目的に、考案したものである。
【背景技術】
【０００２】図面２の▲１▼ごとく中間に首を載せて座ることにより、クビが上に押し上げられる格好となり、曲がった脊椎を矯正する。尚その中間に図面２の▲１▼の様にバネをつけることにより、首への負担を軽くする。
【図面の簡単な説明】
【図１】この発明品の側面図および平面図
【図２】使用方法の図面
【図１】
2015116458.tif 000003
【図２】
2015116458.tif 000004
【手続補正書】
【提出日】平成26年2月14日(2014.2.14)
【手続補正２】
【補正対象書類名】特許請求の範囲
【補正対象項目名】請求項１
【補正方法】変更
【補正の内容】
【請求項１】
コの字型に器具を伏せる。その上に首を乗せ曲がった脊椎の矯正を図る、その際首の当たる所に括れを作り、高さの調節が出来るようにしてバネをつける。顎が前に出ないように頭の両サイドに固定した二本の棒に、後頭部が下がらないように帯状に物を取り付ける。
（図面１、頭蓋骨図面、頭２、の状態になるようにする）
【手続補正３】
【補正対象書類名】図面
【補正対象項目名】全図
【補正方法】変更
【補正の内容】
【図１】
2015116458.tif 000005
【図２】
2015116458.tif 000006
(57)【要約】【課題】  高齢者や何等かの原因により下肢の筋力が低下されている方に対して、靴底の幅を外側へ広げることにより、歩行時に左右へのふらつきを抑制させ、歩行バランスを安定させることで、転倒防止や捻挫の予防が期待できるふらつき防止靴を提供する。【解決手段】  足を入れる部分の靴本体（１）は従来の靴と変わりはないが、靴底（２）の底面をこれまでの靴底より外側へ広げ、靴のデザイン性と他の人に靴を踏まれにくくするための配慮として、靴底を外側へ広げた分だけ靴本体（１）の外側の側面にカバー（３）を付けたふらつき防止靴を特徴とする。【選択図】図３
2015116460.tif 000002
【特許請求の範囲】
【請求項１】
歩行時のふらつきを防止できるように、体重の支持面を大きくするために、靴底（２）の底面を、従来の靴底より外側へ広げる。
【請求項２】
靴底（２）を外側へ広げた分だけ、靴本体（１）の外側の側面にカバー（３）を設けたふらつき防止靴。
【発明の詳細な説明】
【技術分野】
【０００１】  この発明は、歩行時に左右へのふらつきを防止し、転倒や捻挫の予防をするための靴に関するものである。
【背景技術】
【０００２】  従来の靴底は足底の形に合わせたものであった。
【発明の概要】
【発明が解決しようとする課題】
【０００３】  高齢者や何等かの原因で下肢の筋力が低下されている方の歩行は、歩行時に左右へのふらつきが時折りあり、転倒や捻挫の危険も多かった。
【課題を解決するための手段】
【０００４】  足を入れる部分の靴本体（１）は従来の靴と変わりはないが、靴底（２）の底面をこれまでの靴底より外側へ広げ、靴のデザイン性と他の人に靴を踏まれにくくするための配慮として、靴底を外側へ広げた分だけ靴本体（１）の外側の側面にカバー（３）を付ける。
本発明は、以上の構成よりなるふらつき防止靴である。
【発明の効果】
【０００５】  高齢者や何等かの原因で下肢の筋力が低下されている方の歩行は、歩行時に左右にバランスを崩すことがあり、それにより転倒をして骨折をしたり、捻挫をしてしまうことがあったが、従来の靴底より靴底の幅を外側へ広げることにより、その分だけ体重の支持面が大きくなり、歩行時の左右への動揺を抑制することができ、歩行バランスを安定させることで、下肢筋力の弱い方の転倒防止や捻挫の予防が期待できる。
【図面の簡単な説明】
【０００６】
【図１】  本発明の平面図である。
【図２】  本発明の底面図である。
【図３】  本発明の斜視図である。
【発明を実施するための形態】
【０００７】  以下、本発明を実施するための形態について説明する。
足を入れる部分の靴本体（１）は従来の靴と変わりはないが、靴底（２）の底面をこれまでの靴底より外側へ広げ、靴のデザイン性と他の人に靴を踏まれにくくするための配慮として、靴底を外側へ広げた分だけ靴本体（１）の外側の側面にカバー（３）を付ける。
本発明は、以上のような構造である。
【符号の説明】
【０００８】  １  靴本体
２  靴底
３  外側の側面カバー
【図１】
2015116460.tif 000003
【図２】
2015116460.tif 000004
【図３】
2015116460.tif 000005
(57)【要約】【課題】腰痛などに用いるサポーターは、腰仙椎全体或いは縦長の形状で仙骨孔を塞ぐように押圧し、ときに圧痛や痺れなどの症状が出現したりして、使い勝手がわるかった。【解決手段】仙骨孔に当たる部分を避けるように、胸腰筋膜を押圧する弾性素材を台形状に分割し横長になるように配置することで、仙骨孔を塞ぐことによる圧痛や痺れがなくなるようにした。【選択図】図１
2015116461.tif 000002
【特許請求の範囲】
【請求項１】
腰椎部、及び仙骨上部の治療処置に使用するために人体の腹部の回りに、かつ効力のある方向に固定可能な治療器具において、腰部後方に配置される腰当接面に、胸腰筋膜を押圧する弾性部材を取り付け仙骨孔を避けけるように配置したことを特徴とする胸腰筋膜圧迫ベルト。
【請求項２】
前記帯状体を伸縮可能なラバースポンジで形成するとともに、該帯状体の両端部に、帯状体の長手方向に長尺な面ファスナーを取り付け、前記帯状体の伸縮及び前記面ファスナーの接続位置の変更により、前記帯状体の締め付け強度と、前記弾性部材の押圧強度とを調節することを特徴とする請求項１記載の胸腰筋膜圧迫ベルト。
【発明の詳細な説明】
【技術分野】
【産業上の利用分野】
【０００１】  本発明は、胸腰筋膜を適度に押圧し、保護するとともに、腰仙椎の変位により発生する腰の痛みの緩和を図る胸腰筋膜圧迫ベルトに関する。
【背景技術】
【０００２】腰椎症は一般的に、腰仙椎、それを支持する筋肉、及び人体の構造における生体力学の変化のために個体に生じる。治療器具は、痛みの発生に伴う初期のメカニズムが、筋肉の緊張、けいれん、或いは疲労によるとき、個体の腰椎症の治療や予防に有益である。後に生じる痛みは、筋肉自身の内部で、或いは腰椎の動作を規制する、腰椎の骨、及び靭帯の構造に対する十分かつ均衡のとれた支持の喪失による二次的な効果によって作り出される。公知の支持手段は、上述した構造における疲労や不都合な緊張を制限し、そして正常かつ均衡のとれた骨の状態の回復を助けることを意図して設計されている。斯る狙いが公知の治療器具だけを適用して達成されることは希であるが、一方このような器具は種々の腰椎の状態や予防に役に立つことがよくある。
【先行技術文献】
【特許文献】
【０００３】
【特許文献１】特開平６−３８９９５
【特許文献２】特公平７−１４４０７
【特許文献３】特開２００６−３２５９０４
【発明が解決しようとする課題】
しかしながら、これらの器具でさえ１或いはそれより多くの不都合を呈しがちである。例えば、いくつかの支持手段は弾性部材の押圧により、仙骨神経後枝に必要以上の圧迫が加わり痺れや痛みが発生する。また、いくつかの支持手段は皮膚内に深く食い込むか、或いは骨の突出部に刺激をもたらすことがよくある剛体エレメントを含んでいる。腰椎症に適用するために設計された現在有用な治療器具のいくつかは、装置の頂部、及び／又は底部で不十分な支持エレメントを有するもので腰部全体にわたる支持を備えていない。他の装置は、脊柱の最も中心部の部分のみの支持に適用されるだけでその有用性は限られている。
【０００４】本発明の目的は、快適に使用でき、腰部を十分に覆い、長期の使用でも圧痛或いは痺れることなく最適の位置で支持及び圧迫又は治療処置を与え得る治療器具を提供することを目的とするものである。
【課題を解決するための手段】
【０００５】上記、目的を達成するために本発明の胸腰筋膜圧迫ベルトは、腰仙椎の後面に捲着する帯状体の腰当接面に、神経の出口である仙骨孔を避けるように胸腰筋膜を押圧する弾性部材を台形状に分割し、横長になるように配置したことを特徴とし、前記帯状体を伸縮可能なラバースポンジで形成するとともに、該帯状体の両端部に、帯状体の長手方向に長尺な面ファスナーを取り付け、前記帯状体の伸縮及び前記面ファスナーの接続位置の変更により、前記帯状体の締め付け強度と、弾性部材の押圧強度とを調節すると好適である。
【発明の効果】
【０００６】上記のように形成することにより、胸腰筋膜を弾性部材で直接押圧し、なおかつ仙骨孔を圧迫することなく胸腰筋膜の変位を有効に防止および矯正することができる。
【０００７】また、帯状体を伸縮可能なラバースポンジで形成し、面ファスナーの接続位置を変更することにより、帯状体の腰締め付け強度と弾性部材の押圧強度とを調節でき、腰胸筋膜の状態に応じて、最適な締め付け強度と押圧強度とを得ることができる。
【発明を実施するための最良の形態】
【０００８】以下、本発明の一形態例を図面に基づいて詳しく説明する。図１は本発明の一形態例を示す胸腰筋膜圧迫ベルトの正面図、図２は胸腰筋膜圧迫ベルトを装着した状態の説明図である。【０００９】胸腰筋膜圧迫ベルト１は腰椎下部及び仙椎に付着する胸腰筋膜１０に捲着する帯状体２と、逸脱防止素材４ａと弾性部材５ａ、５ｂ、５ｃ、５ｄ、５ｅ、５ｆとを備えている。【００１０】帯状体２は伸縮可能なラバースポンジで形成され、両端部から中央側に向けて漸次幅が広くなるように形成される。【００１１】帯状体２の両端部には該両端部同士を着脱可能に接続する面ファスナー３が取り付けられている。面ファスナー３、鉤状の突起が一面についた第１布片３ａと、パイル状の第２布片３ｂとで構成される周知のもので、第１布片３ａ半月状に形成され、帯状体２の腰当接面２ａ側の一端部に取り付けられる。第２布片３ｂよりも帯状体２の長手方向に長尺な長方形状に形成され、帯状体２の外面２ｂ側の他端部に取り付けられる。【００１２】弾性部材５は適度な柔軟性を有する台形や菱形のスポンジやウレタンで構成され、帯状体２の腰当接面２ａの中央部に、所定の間隔を開けて取り付けられる。【００１３】弾性部材５は表面をシリコンで逸脱加工された保護膜６に覆われる。【００１４】上記のように形成された胸腰筋膜圧迫ベルト１は、図２に示されるように、腰仙椎を覆う胸腰筋膜に弾性部材５ａ、５ｂ、５ｃ、５ｄ、５ｅ、５ｆをそれぞれ押圧するように捲着される。【００１５】このように、本形態例の胸腰筋膜圧迫ベルト１は腰仙椎を覆う胸腰筋膜に簡単に捲着することができる。また、帯状体２は両端部から中央部へ向けて漸次幅が広くなるように形成されることから脊柱の生理的彎曲に沿うように配設され、胸腰筋膜圧迫ベルト装着後も楽に腰仙椎を曲げ伸ばしできる。さらに、帯状体２が伸縮可能なラバースポンジで形成されているとともに、面ファスナー３の接続位置を変更できることから、帯状体２の締め付け強度と弾性部材の押圧強度とを調節することができ、最適な締め付け強度と押圧強度とを簡単に得ることができる。【００１６】なお、帯状体の幅は適宜設定すればよく、幅を広く形成してもよい。また、帯状体や弾性部材の材質や形状は上述の形態例に限るものではなく、仙骨孔を避け良好に押圧できるものであれば、どのようなものでも差し支えない。
【図面の簡単な説明】
【００１７】
【図１】本発明の一形態例を示す、胸腰筋膜圧迫ベルトの正面図である。
【図２】胸腰筋膜圧迫ベルトを装着した状態の説明図である。
【符号の説明】
【００１８】１…胸腰筋膜圧迫ベルト、２…帯状体、３…面ファスナー、４…逸脱防止部材、５…弾性部材、６…保護膜、１０…胸腰筋膜
【図１】
2015116461.tif 000003
【図２】
2015116461.tif 000004